(57)【要約】【課題】既存のゴミ袋に使用可能で、ゴミ袋の口を容易に閉じることができ、かつゴミ袋を容易に運搬することができるゴミ袋の口閉じ具を提供する。【解決手段】粘着テープ１１が、細長い矩形状に形成されている。粘着テープ１１は、一方の面１１ａに粘着剤が付着されている。取っ手テープ１２が、粘着テープ１１と同じ大きさの矩形状に形成されている。取っ手テープ１２は、粘着テープ１１の他方の面１１ｂに重ねられている。取っ手テープ１２は、環状になるよう両端１２ａ，１２ｂが粘着テープ１１の両端１１ｃ，１１ｄに連続している。【選択図】図１
0003115807.tif 000002
【実用新案登録請求の範囲】
【請求項１】
粘着テープと取っ手テープとを有し、
前記粘着テープは一方の面に粘着剤が付着されており、
前記取っ手テープは前記粘着テープの他方の面に重ねられ、環状になるよう両端が前記粘着テープの両端に連続していることを、
特徴とするゴミ袋の口閉じ具。
【考案の詳細な説明】
【技術分野】
【０００１】
本考案は、ゴミ袋の口閉じ具に関する。
【背景技術】
【０００２】
一般的に、ゴミが入ったゴミ袋を棄てるときには、ゴミ袋の口を寄せ集め、そこを紐できつく縛ってから棄てている。しかし、ゴミ袋一杯にゴミが入っている場合には、ゴミ袋の口を紐で縛るのが困難であり、紐で縛ったとしても持ち運びにくいという問題があった。この問題を解決するために、従来、ゴミ袋の口に複数の結び部を設け、結び部同士を結んでゴミ袋の口を閉じ、結び部を取っ手にして運搬可能なゴミ袋が提案されている（例えば、特許文献１および２参照）。
【０００３】
【特許文献１】特開２００４−３５２５７号公報
【特許文献２】特開２００２−３７４０１号公報
【考案の開示】
【考案が解決しようとする課題】
【０００４】
しかしながら、特許文献１および２記載のゴミ袋は、結び部同士を結ぶ必要があるため、非力な老人や子供などでは、しっかりと結ぶのが困難であるという課題があった。また、袋の形状を独自の形状にする必要があるため、市町村の指定ゴミ袋などの既存のゴミ袋には適用できないという課題があった。
【０００５】
本考案は、このような従来の課題に着目してなされたもので、既存のゴミ袋に使用可能で、ゴミ袋の口を容易に閉じることができ、かつゴミ袋を容易に運搬することができるゴミ袋の口閉じ具を提供することを目的とする。
【課題を解決するための手段】
【０００６】
上記目的を達成するために、本考案に係るゴミ袋の口閉じ具は、粘着テープと取っ手テープとを有し、前記粘着テープは一方の面に粘着剤が付着されており、前記取っ手テープは前記粘着テープの他方の面に重ねられ、環状になるよう両端が前記粘着テープの両端に連続していることを、特徴とする。
【０００７】
本考案に係るゴミ袋の口閉じ具は、ゴミを廃棄するときに使用される。まず、ゴミが入ったゴミ袋の口を寄せて窄める。次に、窄めたゴミ袋の口に粘着テープを巻いて貼り付ける。このとき、ゴミ袋一杯にゴミが詰っていても、粘着テープを巻いて貼り付けることで、ゴミ袋の口を容易に閉じることができる。また、紐で縛る場合に比べて、力が弱くてもゴミ袋の口を閉じることができるため、非力な老人や子供などでもゴミ袋の口を容易に閉じることができる。
【０００８】
ゴミ袋の口を閉じたならば、粘着テープの他方の面に重ねられた取っ手テープを握って、ゴミ袋を持ち、ゴミ集積所まで運搬することができる。このとき、取っ手テープの両端が粘着テープの両端に連続しているため、取っ手テープが環状になって持ちやすく、ゴミ袋を容易に運搬することができる。このように、本考案に係るゴミ袋の口閉じ具は、既存のゴミ袋に使用可能で、ゴミの廃棄作業を容易にすることができる。
【考案の効果】
【０００９】
本考案によれば、既存のゴミ袋に使用可能で、ゴミ袋の口を容易に閉じることができ、かつゴミ袋を容易に運搬することができるゴミ袋の口閉じ具を提供することができる。
【考案を実施するための最良の形態】
【００１０】
以下、図面に基づき本考案の実施の形態について説明する。
図１乃至図３は、本考案の実施の形態のゴミ袋の口閉じ具を示している。
図１に示すように、ゴミ袋の口閉じ具１０は、粘着テープ１１と取っ手テープ１２とを有している。
【００１１】
図１（ａ）に示すように、粘着テープ１１は、可燃性の材質から成り、細長い矩形状に形成されている。粘着テープ１１は、一方の面１１ａに粘着剤が付着されている。
【００１２】
図１（ｂ）に示すように、取っ手テープ１２は、可燃性の材質から成り、粘着テープ１１と同じ大きさの矩形状に形成されている。取っ手テープ１２は、粘着テープ１１の他方の面１１ｂに重ねられている。図１（ａ）に示すように、取っ手テープ１２は、両端１２ａ，１２ｂが粘着テープ１１の両端１１ｃ，１１ｄに連続しており、粘着テープ１１とともに環状になっている。
【００１３】
図２に示すように、ゴミ袋の口閉じ具１０は、矩形状の剥離紙（図示せず）に、粘着テープ１１の一方の面１１ａで粘着剤により貼り付けられている。ゴミ袋の口閉じ具１０は、複数が幅方向に並べられて、剥離紙に貼り付けられている。ゴミ袋の口閉じ具１０は、１つずつ剥離紙から剥がして使用可能になっている。
【００１４】
なお、具体的な一例では、粘着テープ１１および取っ手テープ１２は、長さが２０ｃｍ、幅が５ｃｍである。また、ゴミ袋の口閉じ具１０は、１枚の剥離紙に、６つ並べられている。しかしながら、口閉じ具１０の寸法・剥離紙への貼付け枚数は、いかなる寸法・枚数であってもよい。
【００１５】
次に、作用について説明する。
ゴミ袋の口閉じ具１０は、ゴミを廃棄するときに使用される。まず、ゴミが入ったゴミ袋１の口２を寄せて窄める。次に、図３に示すように、窄めたゴミ袋１の口２に粘着テープ１１を巻いて貼り付ける。このとき、ゴミ袋１一杯にゴミが詰っていても、粘着テープ１１を巻いて貼り付けることで、ゴミ袋１の口２を容易に閉じることができる。また、紐で縛る場合に比べて、力が弱くてもゴミ袋１の口２を閉じることができるため、非力な老人や子供などでもゴミ袋１の口２を容易に閉じることができる。
【００１６】
なお、図４（ａ）に示すように、ゴミ袋１の口２を閉じるとき、ゴミ袋１の口２を４方向から折り畳むようにし、折り畳んだ口２の両側２箇所または両側と中央の３箇所に対し口閉じ具１０の粘着テープ１１を交差するように貼り付けてもよい。あるいは、図４（ｂ）に示すように、折り畳んだ口２に沿って口閉じ具１０の粘着テープ１１を貼り付けてもよい。これらの場合にも、ゴミ袋１の口２に結んで閉じる余地がなくても、口２を折り畳んで、口閉じ具１０により口２を閉じることができる。
【００１７】
ゴミ袋１の口２を閉じたならば、粘着テープ１１の他方の面１１ｂに重ねられた取っ手テープ１２を握って、ゴミ袋１を持ち、ゴミ集積所まで運搬することができる。このとき、図３に示すように、取っ手テープ１２の両端１２ａ，１２ｂが粘着テープ１１の両端１１ｃ，１１ｄに連続しているため、取っ手テープ１２が環状になって持ちやすく、ゴミ袋１を容易に運搬することができる。このように、ゴミ袋の口閉じ具１０は、既存のゴミ袋１に使用可能で、ゴミの廃棄作業を容易にすることができる。
【図面の簡単な説明】
【００１８】
【図１】本考案の実施の形態のゴミ袋の口閉じ具を示す（ａ）正面図、（ｂ）平面図である。
【図２】図１に示すゴミ袋の口閉じ具の剥離紙に並べて貼り付けられた状態を示す平面図である。
【図３】図１に示すゴミ袋の口閉じ具の使用状態を示す図である。
【図４】図１に示すゴミ袋の口閉じ具の他の使用状態を示す図である。
【符号の説明】
【００１９】
１    ゴミ袋
２    口
１０  ゴミ袋の口閉じ具
１１  粘着テープ
１２  取っ手テープ
【図１】
0003115807.tif 000003
【図２】
0003115807.tif 000004
【図３】
0003115807.tif 000005
【図４】
0003115807.tif 000006